(57)【要約】【課題】メタルマスクは高精度加工された薄板形状であるため、取り扱いが困難であり、メタルマスクを損傷することが多発していた。また、メタルマスクの細孔部等に付着した有機ＥＬ材料を洗浄するのは困難であった。また、人手による有機溶剤を用いての洗浄の為その洗浄剤を処理するのが大変であった。【解決手段】亜臨界流体を用いてメタルマスク洗浄を行うことにより、メタルマスクの損傷を防ぐ。また、亜臨界流体は洗浄槽からメタルマスクを取り出すときに、洗浄流体は直ちに気化するため、従来のリンス、乾燥工程を減らすことが可能となり、メタルマスクの洗浄を効率よく行うことができる。また、有機物である有機ＥＬ材料を回収し再使用する事がが可能となる。【選択図】          図１
2004192851.tif 000002
【特許請求の範囲】
【請求項１】
有機物が付着したメタルマスクに、亜臨界流体を接触させることにより、前記有機物が溶解することを特徴とするメタルマスク洗浄方法。
【請求項２】
流体を亜臨界流体とした後、有機物が付着したメタルマスクに、前記亜臨界流体を接触させ、前記有機物を溶解し、しかる後、前記亜臨界流体の圧力および／または温度を変動し、溶解した前記有機物と亜臨界流体および／または亜臨界状態を解かれた流体を抽出することを特徴とする請求項１に記載のメタルマスク洗浄方法。
【請求項３】
亜臨界流体が複数の組成成分からなることを特徴とする請求項１又は２に記載のメタルマスク洗浄方法。
【請求項４】
亜臨界流体の複数の組成成分の主成分がＣＯ２であることを特徴とする請求項３に記載のメタルマスク洗浄方法。
【請求項５】
亜臨界流体にモディファイアを添加することを特徴とする請求項１から４のいずれかに記載のメタルマスク洗浄方法。
【請求項６】
亜臨界流体をメタルマスクの長手方向に略平行に流れる様に接触させることを特徴とする請求項１から５のいずれかに記載のメタルマスク洗浄方法。
【請求項７】
亜臨界流体をメタルマスクの長手方向に一定の角度をもって接触させることを特徴とする請求項１から５のいずれかに記載のメタルマスク洗浄方法。
【請求項８】
メタルマスクの有機物の多く付着している面に沿う側の亜臨界流体の流量が、少なく付着している面に沿う側の流量より多いことを特徴とする請求項１から５のいずれかに記載のメタルマスク洗浄方法。
【請求項９】
亜臨界流体を用いてメタルマスクの有機物を溶解するにあたり、温度設定を６０℃以下で処理することを特徴とする請求項１から８のいずれかに記載のメタルマスク洗浄方法。
【請求項１０】
メタルマスクに付着している有機物が有機ＥＬ材料であることを特徴とする請求項１から９のいずれかに記載のメタルマスク洗浄方法。
【請求項１１】
有機物が付着したメタルマスクに、亜臨界流体を接触させることにより、前記有機物が溶解するにおいて、流体を亜臨界状態に変動する手段と亜臨界流体を接触させる亜臨界流体処理手段と前記亜臨界流体の圧力および／または温度を変動し、溶解した前記有機物と亜臨界流体および／または亜臨界状態を解かれた流体を抽出する抽出手段とを設けたことを特徴とするメタルマスク洗浄装置。
【請求項１２】
前記亜臨界流体を接触させる亜臨界流体処理手段において、亜臨界流体をメタルマスクの長手方向に略平行に流れる様に接触させる構成としたことを特徴とする請求項１１に記載のメタルマスク洗浄装置。
【請求項１３】
前記亜臨界流体を接触させる亜臨界流体処理手段において、亜臨界流体をメタルマスクの長手方向に一定の角度をもって接触させる構成としたことを特徴とする請求項１１に記載のメタルマスク洗浄装置。
【請求項１４】
メタルマスクの有機物の多く付着している面に沿う側の亜臨界流体の流量が、少なく付着している面に沿う側の流量より多くなるように構成したことを特徴とする請求項１１に記載のメタルマスク洗浄方法。
【請求項１５】
メタルマスクに付着している有機物が有機ＥＬ材料であることを特徴とする請求項１１から１４のいずれかに記載のメタルマスク洗浄装置。
【発明の詳細な説明】
【０００１】
【発明が属する技術分野】本発明はメタルマスクに付着した有機物、特には、有機エレクトロルミネッセンス（以下、有機ＥＬと記載）を製造する蒸着塗り分け工程で用いられたメタルマスクに付着した有機ＥＬ材料を取り除く洗浄工程において、亜臨界流体を用いて、有機ＥＬ材料を取り除き、その洗浄廃液を大幅に減量する方法と装置に関する。
【０００２】
【従来の技術】有機ＥＬ基板の製造に関しては、有機ＥＬ基板の裏面に磁石配置し、表面にメタルマスクを配備するとメタルマスクは磁石によって有機ＥＬ基板に吸着する。その状態で、複数の発光材料を個々の蒸気圧に合わせて真空蒸着する。そこで、所定の発光層が形成されるが、同時に当該メタルマスクに余剰の有機物である有機ＥＬ材料が多く付着する。このメタルマスクに蒸着した余剰の有機ＥＬ材料を除去する洗浄については人手により有機溶剤を用いてなされている。
【０００３】
【発明が解決しようとする課題】Ｎｉおよびその合金やステンレスからなるメタルマスクは高精度加工された薄板形状であるため、取り扱いが困難であり、メタルマスクを損傷することが多発していた。また、メタルマスクの細孔部等に付着した有機ＥＬ材料を洗浄するのは困難であった。また、人手による有機溶剤洗浄の為その洗浄剤を処理するのが大変であった。
【０００４】
本発明は、従来の損傷が多発していた人手による洗浄作業から、亜臨界流体を用いてメタルマスク洗浄を行うことにより、メタルマスクの損傷を防ぐ。また、亜臨界流体は、洗浄槽からメタルマスクを取り出すときに直ちに気化するため、従来のリンス、乾燥工程を減らすことが可能となる。
【０００５】
【課題を解決する手段】上記目的を達成するために、発明者は亜臨界流体が溶解性を持つことを活用し、有機物である有機ＥＬ材料が付着したメタルマスクに、亜臨界流体を接触させることにより溶解して、メタルマスクの有機ＥＬ材料を回収することに着目した。その流れとして、流体（例えばＣＯ２）に圧力および／または温度を付加して、亜臨界流体とし、有機物である有機ＥＬ材料が付着したメタルマスクに接触させ、前記有機物である有機ＥＬ材料を溶解しメタルマスクから取り除く。
【０００６】
本発明におけるＣＯ２における亜臨界状態とは圧力５ＭＰａ〜７．４ＭＰａ、且つ、温度は１５℃〜６０℃の領域のことをいう。
【０００７】
また、ここでいう有機ＥＬ材料とは、有機ＥＬディスプレイにおける低分子発光材料の有機発光層のことである。有機発光層の主要を占めるホスト材料の主なものに、アルミノキノリノール錯体（Ａｌｑ３）、ベンゾキノリノールベリリュウム錯体（Ｂｅｂｑ２）、アルミノベンゾキノリノール誘導体（Ａｌｐｈ３）、オキサジアゾール誘導体（ＥＭ２）、ピラゾロキノリン（ＰＺ１０）、シロール誘導体（２ＰＳＰ）、ペリノン誘導体（ＰＩ）、オリゴチオフェン誘導体（ＢＭＡ−３Ｔ）、ペリレン誘導体（ｔ−Ｂｕ−ＰＴＣ）、ジスチリルアリーレン（ＤＳＡ）誘導体、ベリリウム錯体（Ｂｅｂｑ２）、キノリノール錯体（Ｚｎｑ２）、ベンゾキサゾール錯体（Ｚｎ（ＢＯＸ）２）、ベンゾチアゾール錯体（Ｚｎ（ＢＴＳ）２）等が挙げられる。
【０００８】
上記の場合は亜臨界流体の組成成分が１種類の場合を記載したが、プロセスとしては同じ方法で、複数の流体を混合して亜臨界流体とし、上記同様、複数の流体に圧力および／または温度を付加して、亜臨界流体とし、有機物である有機ＥＬ材料が付着したメタルマスクに接触させ、前記有機物である有機ＥＬ材料を溶解しメタルマスクから取り除く。この場合でも、組成成分としては主成分をＣＯ２とする。
【０００９】
また、亜臨界流体の溶解度そのものを増大させる為、モデファイアを添加することにより、亜臨界流体の溶解度が制御され、亜臨界流体の分離特性が上がり、より短時間の接触時間でメタルマスクから有機物である有機ＥＬ材料を溶解させることが可能となった。
【００１０】
ここでいうモディファイアとは、特に指定はしないが、主なものにエタノール、メタノール、アセトン、アセトニトリル、ジメチルホルムアミド、ジメチルスルホキシド、ジメチルアセトアミド、ジクロロメタン、トルエン、キシレン、エチレングリコール、塩酸、硝酸、硫酸、エーテル、代替フロン等が挙げられる。
【００１１】
亜臨界流体をメタルマスクに接触させる方法であるが、メタルマスクの長手方向に位置し、亜臨界流体をメタルマスクの長手方向に略平行に流し、接触させることで、通常の有機溶剤で溶かす場合に比べ充分効果が上がる。また、メタルマスクは有機物である有機ＥＬ材料を蒸着させる段階である面に多く付着する。従い、その有機物である有機ＥＬ材料が多く付着する面に亜臨界流体が若干の衝撃をもって当たり、有機物である有機ＥＬ材料の溶解効率が上がる様に工夫した。
【００１２】
また、更に、亜臨界流体を亜臨界流体処理室にメタルマスクを納め処理室をメタルマスクで２分し、亜臨界流体の流路を２分して、メタルマスクの有機物である有機ＥＬ材料が多く付着する面により多くの亜臨界流体が流れる様にすることにより、より亜臨界流体の接触による有機物である有機ＥＬ材料の溶解の効率を上げようとするものである。メタルマスクには、有機ＥＬ材料を有機ＥＬ基板の必要な箇所に蒸着させる為にパターン孔があいているので、亜臨界流体を多く流す側の面から、当該パターン孔を通じて亜臨界流体の少なく流す側に流れる。従いパターン孔を亜臨界流体が通ることにより、パターン孔周辺の有機物である有機ＥＬ材料を更に効率よく溶解することができる。
【００１３】
亜臨界流体を用いてメタルマスクの有機物である有機ＥＬ材料を溶解することにより、６０℃以下（望ましくは４０℃以下）という比較的低温での処理が可能となり、メタルマスクそのものの熱変形を防止することができ、安定した状態で、精度の高いメタルマスクそのものも再利用できる。
【００１４】
一連の亜臨界流体を用いてメタルマスクに付着した有機物である有機ＥＬ材料を溶解し、抽出する一連のプロセスの装置を考案した。まず、亜臨界流体をメタルマスクに接触させる為に、亜臨界流体処理室を設ける。そこへメタルマスクを位置する。次に、ボンベに該当する単独または複数の流体を納め、加圧ポンプを用いて、加圧し、亜臨界流体を形成する。亜臨界流体処理室へ圧力が下がり亜臨界流体が亜臨界状態を失わない様にバルブを調整して亜臨界流体処理室に送る。亜臨界流体処理室では、メタルマスクに亜臨界流体が接触し、有機物である有機ＥＬ材料が溶解される。
【００１５】
亜臨界流体処理室で、メタルマスクに充分に亜臨界流体が接触するように、亜臨界流体をメタルマスクに接触させる方法であるが、メタルマスクの長手方向に位置し、亜臨界流体をメタルマスクの長手方向に略平行に流し、接触させる様に構成する。また、メタルマスクは有機物である有機ＥＬ材料を蒸着させる段階である面に多く付着する。従い、その有機物である有機ＥＬ材料が多く付着する面に亜臨界流体が若干の衝撃をもってあたり、有機物である有機ＥＬ材料の溶解効率が上がる様にメタルマスクそのものを長手方向に亜臨界流体の流れる方向と適度な角度を持つ様に位置する構成にした。
【００１６】
また、更に、亜臨界流体を亜臨界流体処理室にメタルマスクを納める亜臨界流体処理室をメタルマスクで２分し、亜臨界流体の流路を２分して、メタルマスクの有機物である有機ＥＬ材料が多く付着する面により多くの亜臨界流体が流れる様に構成される。
【００１７】
【発明の実施の形態】図１は本発明の実施の形態にかかる亜臨界流体を用いた洗浄装置を簡略的に示すものである。図１に示す様に、有機ＥＬ材料８が付着したメタルマスク１に付着している有機ＥＬ材料８は１種類単独でも２種類以上混合されている場合もある。当該洗浄装置での亜臨界流体の経路はボンベ３より流体が供給され、その流体を加圧ポンプ４により亜臨界状態とし、当該亜臨界流体はヒーター９ａにて反応温度に加熱され、亜臨界流体処理室２に入り、メタルマスク１に接触して、メタルマスク１に付着している有機ＥＬ材料８を溶解し、溶解された有機ＥＬ材料８は亜臨界流体とともに抽出室５に運ばれる。抽出室５では溶解された有機ＥＬ材料８を含む亜臨界流体が減圧ポンプ６にて圧力および／または温度制御により亜臨界流体の亜臨界状態を解くことにより、溶解していた有機ＥＬ材料８と亜臨界流体および／または亜臨界状態を解かれた流体を抽出する。流体の流路にはバルブ７ａから７ｅが配設され、それぞれ流体が亜臨界状態を保つ圧力、亜臨界状態を解く圧力に設定されるように図示していないが制御コントローラーを用いて開閉制御される。
【００１８】
図２は、亜臨界流体処理室２の内部において、メタルマスク１に亜臨界流体を接触させる場合の第１の例を示す。この場合は、メタルマスク１の長手方向と亜臨界流体の流路とを略平行に位置した例であり、循環する亜臨界流体に有機ＥＬ材料８が接触し溶解し、バルブ７ｃを通り、抽出室５に送る。
【００１９】
図３は、亜臨界流体処理室２の内部において、メタルマスク１に亜臨界流体を接触させる場合の第２の例を示す。この場合は、有機物である有機ＥＬ材料８が蒸着させる段階でメタルマスク１の片面に多く付着するので、その有機ＥＬ材料８が多く付着している面に亜臨界流体が若干の衝撃をもってあたり有機物である有機ＥＬ材料８の溶解効率が上がる様にメタルマスク１の長手方向を亜臨界流体の流れる方向と一定の角度αを持たせて位置し、メタルマスク１に亜臨界流体を接触させ、循環する亜臨界流体に有機ＥＬ材料８が接触し溶解させ、バルブ７ｃを通り、抽出室５に送る。
【００２０】
図４は、亜臨界流体処理室２の内部において、メタルマスク１に亜臨界流体を接触させる場合の第３の例を示す。この場合は、亜臨界流体を亜臨界流体処理室２に設けられたホルダー１１ａ，１１ｂを用いてメタルマスク１の長手方向が亜臨界流体の流れ方向になるように位置する。メタルマスク１そのものによって亜臨界流体処理室２が２分される。メタルマスク１の表面に有機物である有機ＥＬ材料８が多く付着している面により多くの亜臨界流体が流れる様に亜臨界流体を送るポンプ１０ａを配備し、同様、メタルマスク１の表面に有機物である有機ＥＬ材料８が少なく付着している面により少ない亜臨界流体が流れる様に亜臨界流体を送るポンプ１０ｂを配備する。ここで、ポンプ１０ａの容量がポンプ１０ｂの容量よりも大なる様に設定する。バルブ７ｂから送られて来る亜臨界流体を２分して亜臨界流体処理室２に送ることにより、より亜臨界流体の接触による有機物である有機ＥＬ材料８の溶解の効率を上げることができる。メタルマスク１には、有機ＥＬ材料８を有機ＥＬ基板の必要な箇所に蒸着させる為にパターン孔１２が空いているので、亜臨界流体の流れを示す矢印１３の様に亜臨界流体を多く流す側の面から、当該パターン孔１２を通じて亜臨界流体の少なく流す側に流れる。従いパターン孔１２を亜臨界流体が通ることにより、パターン孔１２周辺の有機物である有機ＥＬ材料８を更に効率よく溶解する。
【００２１】
【実施例１】
実施例１として、図１に示す亜臨界流体を用いた洗浄装置において有機ＥＬ材料の洗浄を行った例を示す。亜臨界処理室２の形状詳細は図２のようになっている。メタルマスク１に付着している有機ＥＬ材料８の付着量は０．１ｇである。付着している有機ＥＬ材料はアルミノキノリノール錯体（Ａｌｑ３）である。亜臨界処理室２の内容積は５００ｃｍ３である。亜臨界処理室２の内部において、有機ＥＬ材料８に接触する亜臨界流体はＣＯ２である。このときモディファイアは加えなかった。亜臨界処理室２の圧力を２５ＭＰａ、温度を６０℃に設定し、亜臨界流体をメタルマスク１に平行に流れるように接触させ、有機ＥＬ材料８の洗浄を行った。亜臨界流体の流速は３．６ｇ／ｍｉｎとした。ＣＯ２は２５ＭＰａ、６０℃の状態と常温、常圧の状態では相が異なり、体積が大幅に異なるため本出願においては、流速をｇ／ｍｉｎで表した。メタルマスク１の高精度加工部分から完全に有機ＥＬ材料８を溶解させるために所要した時間は２４０分だった。洗浄後、溶解した有機ＥＬ材料８を減圧ポンプ６により亜臨界状態を解くことにより、抽出室５において抽出した。亜臨界状態を解かれたＣＯ２はバルブ７ｅの操作により大気解放された。廃液は出なかった。また、洗浄されたメタルマスク１はリンス、乾燥工程を行うことなく、蒸着に使用することができた。
【００２２】
【実施例２】
実施例２として、図１に示す亜臨界流体を用いた洗浄装置において有機ＥＬ材料の洗浄を行った例を示す。亜臨界処理室２の形状詳細は図２のようになっている。メタルマスク１に付着している有機ＥＬ材料８の付着量は０．１ｇである。付着している有機ＥＬ材料８はアルミノキノリノール錯体（Ａｌｑ３）である。亜臨界処理室２の内容積は５００ｃｍ３である。亜臨界処理室２の内部において、有機ＥＬ材料８に接触する亜臨界流体はＣＯ２である。このときモディファイアとしてエタノールを添加した。エタノールは、ＣＯ２に対し重量パーセントで５％となる量を添加した。亜臨界処理室２の圧力を２５ＭＰａ、温度を６０℃に設定し、亜臨界流体をメタルマスク１に平行に流れるように接触させ、有機ＥＬ材料８の洗浄を行った。亜臨界流体の流速は３．６ｇ／ｍｉｎとした。メタルマスク１の高精度加工部分から完全に有機ＥＬ材料８を溶解させるために所要した時間は９０分だった。洗浄後、溶解した有機ＥＬ材料８は、減圧ポンプ６で亜臨界状態を解くことにより、亜臨界流体中に溶解していたエタノールと共に、抽出室５において抽出させた。エタノールの抽出重量は１７ｇであった。洗浄された有機ＥＬ材料８とエタノールは廃液として処理された。亜臨界状態を解かれたＣＯ２はバルブ７ｅの操作により大気解放された。また、洗浄されたメタルマスク１はリンス、乾燥工程を行うことなく、蒸着に使用することができた。
【００２３】
【実施例３】
実施例３として、図１に示す亜臨界流体を用いた洗浄装置において有機ＥＬ材料の洗浄を行った例を示す。亜臨界処理室２の形状詳細は図３のようになっている。メタルマスク１に付着している有機ＥＬ材料８の付着量は０．１ｇである。付着している有機ＥＬ材料８はアルミノキノリノール錯体（Ａｌｑ３）である。亜臨界処理室２の内容積は５００ｃｍ３である。亜臨界処理室２の内部において、有機ＥＬ材料８に接触する亜臨界流体はＣＯ２である。このときモディファイアとしてエタノールを添加した。エタノールは、ＣＯ２に対し重量パーセントで５％となる量を添加した。亜臨界処理室２の圧力を２５ＭＰａ、温度を６０℃に設定し、亜臨界流体をメタルマスク１の長手方向に一定の角度をもって接触させ、有機ＥＬ材料８の洗浄を行った。亜臨界流体の流速は３．６ｇ／ｍｉｎとした。メタルマスク１の高精度加工部分から完全に有機ＥＬ材料８を溶解させるために所要した時間は４５分であった。洗浄後、溶解した有機ＥＬ材料８を、減圧ポンプ６で亜臨界状態を解くことにより、亜臨界流体中に溶解していたエタノールと共に、抽出室５において抽出した。エタノールの抽出重量は１２ｇであった。洗浄された有機ＥＬ材料８とエタノールは廃液として処理された。亜臨界状態を解かれたＣＯ２はバルブ７ｅの操作により大気解放された。また、洗浄されたメタルマスク１はリンス、乾燥工程を行うことなく、蒸着に使用することができた。
【００２４】
【実施例４】
実施例４として、図１に示す亜臨界流体を用いた洗浄装置において有機ＥＬ材料の洗浄を行った例を示す。亜臨界処理室２の形状詳細は図４のようになっている。メタルマスク１に付着している有機ＥＬ材料８の付着量は０．１ｇである。付着している有機ＥＬ材料８はアルミノキノリノール錯体（Ａｌｑ３）である。亜臨界処理室２の内容積は５００ｃｍ３である。亜臨界処理室２の内部において、有機ＥＬ材料８に接触する亜臨界流体はＣＯ２である。このときモディファイアとしてエタノールを添加した。エタノールは、ＣＯ２に対し重量パーセントで５％となる量を添加した。亜臨界流体のトータル流速は３．６ｇ／ｍｉｎとした。亜臨界処理室２の圧力を２５ＭＰａ、温度を６０℃に設定し、亜臨界流体をメタルマスク１の有機ＥＬ材料の多く付着している面に沿う側の亜臨界流体の流量が、付着していない面に沿う側の流量より多くなるようにして、有機ＥＬ材料８の洗浄を行った。図４の方法では、メタルマスク１に高精度加工されているパターン孔１２を亜臨界流体が通るため、有機ＥＬ材料８を溶解させるために所要した時間は２０分だった。洗浄後、溶解した有機ＥＬ材料８は、減圧ポンプ６で亜臨界状態を解くことにより、亜臨界流体中に溶解していたエタノールと共に、抽出室５において抽出させた。エタノールの抽出重量は６．５ｇであった。洗浄された有機ＥＬ材料８とエタノールは廃液として処理された。亜臨界状態を解かれたＣＯ２はバルブ７ｅの操作により大気解放された。また、洗浄されたメタルマスク１はリンス、乾燥工程を行うことなく、蒸着に使用することができた。
【比較例１】
比較例１として、メタルマスク１に付着した有機ＥＬ材料８を人手によりアセトンを使用して慎重に洗浄を行った。メタルマスク１に付着している有機ＥＬ材料８の付着量は０．１ｇである。付着している有機ＥＬ材料８はアルミノキノリノール錯体（Ａｌｑ３）である。有機ＥＬ材料８が付着したメタルマスク１をアセトンが入った洗浄槽に浸した。洗浄槽のの内容積は５００ｃｍ３である。その洗浄槽に２０分放置した後、別の洗浄槽で液滴が残らないよう１０分間リンスし、乾燥工程を経て、洗浄したメタルマスクを蒸着に使用した。洗浄に使用したアセトンは総重量で２００ｇだった。洗浄された有機ＥＬ材料８とアセトンは廃液として処理された。
【００２５】
上記実施例、比較例の結果を表１にまとめ記載する。
表１
2004192851.tif 000003
【００２６】
【発明の効果】液体と気体の中間の状態にある亜臨界流体が高い溶解性を持つことを活用し、有機ＥＬ材料が付着したメタルマスクに、亜臨界流体を接触させることにより溶解して有機ＥＬ材料を取り除くメタルマスクの洗浄方法により、メタルマスクの損傷を防ぎ、且つ、従来のリンス、乾燥工程を減らすことができる。また、メタルマスクに亜臨界流体が最適な状態で接触させることにより、さらに効率良く有機物である有機ＥＬ材料を亜臨界流体に溶解できる。
亜臨界流体を用いてメタルマスクの有機ＥＬ材料を溶解することにより、６０℃以下（望ましくは４０℃以下）という比較的低温での処理が可能となり、メタルマスクそのものの熱変形を防止することができ、安定した状態で、精度の高いメタルマスクを再利用できる。
【００２７】
また、廃液として出る有機溶媒も従来法に比べ少なくなる。有機ＥＬ材料が付着したメタルマスクから、亜臨界流体を用いて有機ＥＬ材料を溶解する一連のプロセスのサイクルにより、洗浄時間の大幅な短縮ができる。
【図面の簡単な説明】
【図１】本発明のプロセスを表す全体図である。
【図２】亜臨界流体処理室のメタルマスクと亜臨界流体の接触の第１の例を示す図である。
【図３】亜臨界流体処理室のメタルマスクと亜臨界流体の接触の第２の例を示す図である。
【図４】亜臨界流体処理室のメタルマスクと亜臨界流体の接触の第３の例を示す図である。
【符号の説明】
１  メタルマスク
２  亜臨界流体処理室
３  ボンベ
４  加圧ポンプ
５  抽出室
６  減圧ポンプ
７ａ，７ｂ，７ｃ，７ｄ，７ｅ  バルブ
８  有機ＥＬ材料
９ａ  ヒーター
１０ａ，１０ｂ  ポンプ
１１ａ，１１ｂ  ホルダー
１２  パターン孔
１３  流れを示す矢印
【図１】
2004192851.tif 000004
【図２】
2004192851.tif 000005
【図３】
2004192851.tif 000006
【図４】
2004192851.tif 000007